(57)【要約】      （修正有）【課題】多方向から指向性の高い光を射出することができる照明装置を提供する。【解決手段】照明装置１は、光導入部１０を備える環状の導光体９と、基板２と基板２に設置された発光素子３からなる光源８を備える。発光素子３が出射する光は、光導入部１０を経て導光体９に入射する。導光体９は、入射された光を射出する側の反対側に光を拡散させる光拡散部を有し、光を射出する側が凸レンズ形状となり、指向性の高い光を射出する。【選択図】図１
2019083098.tif 000002
【特許請求の範囲】
【請求項１】
環状の導光体と、
前記導光体に光を入射する光源と、を備え、
前記導光体は光を射出する側の反対側に光を拡散させる光拡散部を有し、
前記導光体は光を射出する側が凸レンズになっていることを特徴とする照明装置。
【請求項２】
請求項１に記載の照明装置であって、
前記導光体の断面形状は光を射出する射出方向に沿って長い長円であることを特徴とする照明装置。
【請求項３】
請求項１または２に記載の照明装置であって、
前記光源から前記導光体の接線方向に光を導入する光導入部を備え、
前記光源は基板と前記基板に設置された発光素子とを有し、
前記導光体の形状は回転体であり、回転体の回転軸の軸方向に前記光源が設置され、前記発光素子は光を発光して前記光導入部に入射することを特徴とする照明装置。
【請求項４】
請求項１〜３のいずれか一項に記載の照明装置であって、
前記光拡散部は前記導光体に設置された凹凸で構成されていることを特徴とする照明装置。
【請求項５】
請求項１〜３のいずれか一項に記載の照明装置であって、
前記光源は紫外線を発光し、前記光拡散部は蛍光体であることを特徴とする照明装置。
【請求項６】
請求項１〜５のいずれか一項に記載の照明装置と、
被測定物から反射した光を受光する受光装置と、を備えることを特徴とする測定装置。
【発明の詳細な説明】
【技術分野】
【０００１】
本発明は、照明装置および測定装置に関するものである。
【背景技術】
【０００２】
被測定物に光を照射して反射光を分析する測定装置が広く用いられている。被測定物に凹凸があるときには、多方向から被測定物に光を照射するのが好ましい。一方向から光を照射するとき影ができるので測定精度が低下する。測定装置の大きさが机上に設置する大きさのときには、円環状の蛍光灯等の照明装置が使用されている。
【０００３】
特定の装置に組み込むときには照明装置を小型にする要望がある。照明装置を小型にすることにより装置全体を小型にすることができる。そして、多方向から被測定物に光を照射する照明装置が特許文献１に開示されている。それによると、断面が四角形の環状の導光体に光源から光を入射している。そして、四角形の断面の１つの辺に相当する面には白色の塗料が塗布されている。塗料に光が到達するとき、塗料にて光が乱反射する。乱反射した光の一部が被測定物を照射する。塗料が塗布された面は輪形状なので、多方向から被測定物に光を照射することができる。このように特許文献１の照明装置では環状の導光体を用いることにより照明装置を小型にすることができた。
【先行技術文献】
【特許文献】
【０００４】
【特許文献１】特開２０１０−１５３１５５号公報
【発明の概要】
【発明が解決しようとする課題】
【０００５】
特許文献１の照明装置は導光体の断面が四角形になっている。このため、照明装置から射出される光は拡散する。照明装置を小型にするために照明装置は被測定物に向けて効率良く光を照射する必要がある。従って、多方向から指向性の高い光を射出することができる照明装置が望まれていた。
【課題を解決するための手段】
【０００６】
本発明は、上述の課題を解決するためになされたものであり、以下の形態または適用例として実現することが可能である。
【０００７】
［適用例１］
本適用例にかかる照明装置であって、環状の導光体と、前記導光体に光を入射する光源と、を備え、前記導光体は光を射出する側の反対側に光を拡散させる光拡散部を有し、前記導光体は光を射出する側が凸レンズになっていることを特徴とする。
【０００８】
本適用例によれば、照明装置は光源と導光体とを備えている。光源が導光体に光を入射する。導光体の内部に入射された光の一部は導光体の表面で反射し、導光体の内部を進行する。導光体は環状なので、導光体に入った光は導光体の内部を周回して進行する。導光体には光拡散部が設置されている。光拡散部に到達した光は拡散して一部の光は進行方向を変える。
【０００９】
進行方向が変わった光は導光体を通過して射出される。導光体は光を射出する側が凸レンズになっている。従って、導光体から指向性の高い光を射出することができる。また、導光体は環状である為、導光体から射出される光は環状に射出することができる。その結果、照明装置は多方向から指向性の高い光を射出することができる。
【００１０】
［適用例２］
上記適用例にかかる照明装置において、前記導光体の断面形状は光を射出する射出方向に沿って長い長円であることを特徴とする。
【００１１】
本適用例によれば、導光体の断面形状は光を射出する射出方向に沿って長い長円である。このとき、導光体の断面形状が円のときに比べて長円は光が通過する部分の曲率を小さくできる。従って、導光体の凸レンズを焦点距離が短いレンズにすることができる。
【００１２】
［適用例３］
上記適用例にかかる照明装置において、前記光源から前記導光体の接線方向に光を導入する光導入部を備え、前記光源は基板と前記基板に設置された発光素子とを有し、前記導光体の形状は回転体であり、回転体の回転軸の軸方向に前記光源が設置され、前記発光素子は光を発光して前記光導入部に入射することを特徴とする。
【００１３】
本適用例によれば、光源と導光体との間に光導入部が設置されている。そして、光導入部は導光体の接線方向に光を導入する。従って、光導入部は光が導光体を周回するように光を入射できる。光源は基板を備え、基板には発光素子が設置されている。
【００１４】
導光体は環状であることから、導光体の形状は回転軸を軸にして断面形状を回転した回転体である。発光素子は光を発光して光導入部に入射する。その光源は回転体の回転軸の軸方向に設置されている。導光体の回転軸の軸方向において照明装置の厚みは導光体の厚み、発光素子の厚み及び基板の厚みを加算した厚みになっている。
【００１５】
従来、発光素子が導光体の接線方向に光を射出する構造にしたとき、基板に発光素子を設置するためのコネクターが必要であった。このとき、コネクターには発光素子を設置するための面積が必要になる。従って、コネクターは回転軸の軸方向の厚みが厚くなった。本適用例の照明装置では発光素子が基板に直接実装されているので、薄い光源にすることができている。従って、照明装置を薄い装置にすることができる。
【００１６】
［適用例４］
上記適用例にかかる照明装置において、前記光拡散部は前記導光体に設置された凹凸で構成されていることを特徴とする。
【００１７】
本適用例によれば、光拡散部は導光体に設置された凹凸で構成されている。導光体は金型を用いて形成することができる。このとき、金型の一部に凹凸をつけることにより、導光体と光拡散部とを一緒に形成することができる。従って、生産性良く導光体及び光拡散部を製造することができる。
【００１８】
［適用例５］
上記適用例にかかる照明装置において、前記光源は紫外線を発光し、前記光拡散部は蛍光体であることを特徴とする。
【００１９】
本適用例によれば、光源は紫外線を発光する。光源の発光素子が紫外線を発光する。紫外線は蛍光体を照射して蛍光体は固有のスペクトル分布の光を射出する。そして、蛍光体の種類を選択することにより射出する光のスペクトル分布を容易に設定することができる。
【００２０】
［適用例６］
本適用例にかかる測定装置であって、上記に記載の照明装置と、被測定物から反射した光を受光する受光装置と、を備えることを特徴とする。
【００２１】
本適用例によれば、測定装置は照明装置及び受光装置を備えている。照明装置が被測定物に光を照射して受光装置が被測定物から反射した光を受光する。照明装置には上記に記載の照明装置が用いられている。上記に記載の照明装置は多方向から指向性の高い光を射出することができる。従って、測定装置は、多方向から指向性の高い光を射出することができる照明装置を備えた装置とすることができる。
【図面の簡単な説明】
【００２２】
【図１】第１の実施形態にかかわる照明装置の構成を示す概略斜視図。
【図２】導光体及び光導入部における光の進行を説明するための模式図。
【図３】導光体及び光導入部における光の進行を説明するための模式図。
【図４】光拡散部で乱反射した光の進行を説明するための模式図。
【図５】光拡散部の構造を示す要部模式拡大図。
【図６】第２の実施形態にかかわる導光体の構造を示す模式側断面図。
【図７】光拡散部で乱反射した光の進行を説明するための模式図。
【図８】第３の実施形態にかかわる導光体の構造を示す模式側断面図。
【図９】光拡散部の構造を示す要部模式拡大図。
【図１０】第４の実施形態にかかわる導光体の構造を示す模式側断面図。
【図１１】光拡散部の構造を示す要部模式拡大図。
【図１２】第５の実施形態にかかわる導光体の構造を示す要部模式拡大図。
【図１３】第６の実施形態にかかわる照明装置の構造を示す模式平面図。
【図１４】照明装置の構造を示す模式平面図。
【図１５】第７の実施形態にかかわる測定装置の構造を示す模式側面図。
【発明を実施するための形態】
【００２３】
以下、実施形態について図面に従って説明する。尚、各図面における各部材は、各図面上で認識可能な程度の大きさとするため、各部材毎に縮尺を異ならせて図示している。
【００２４】
（第１の実施形態）
本実施形態では、照明装置の特徴的な例について、図に従って説明する。第１の実施形態にかかわる照明装置について図１〜図５に従って説明する。図１は、照明装置の構成を示す概略斜視図である。図１に示すように、照明装置１は長方形の基板２を備えている。基板２の長手方向をＸ方向とする。基板２の平面上でＸ方向と直交する方向をＹ方向とする。そして、基板２の厚み方向をＺ方向とする。Ｘ方向、Ｙ方向及びＺ方向は互いに直交する方向になっている。
【００２５】
基板２の＋Ｚ方向側の面には２つの発光素子３、コネクター４及びスイッチ素子５が設置されている。コネクター４とスイッチ素子５とは図示しない配線により接続されている。コネクター４にはフレキシブルケーブル６が設置されている。基板２には発光素子３とスイッチ素子５を接続する図示しない配線が設置されている。そして、フレキシブルケーブル６は制御装置７と接続されている。制御装置７が発光素子３に電力を供給し、発光素子３が発光する。制御装置７はスイッチ素子５に点灯と消灯との切り替えを指示する指示信号を出力する。スイッチ素子５は指示信号に従って、発光素子３に供給する電力を制御する。基板２と基板２に設置された発光素子３等により光源８が構成されている。
【００２６】
さらに、基板２の＋Ｚ方向側には環状の導光体９が設置されている。そして、発光素子３から導光体９の接線方向に光を導入する光導入部１０が設置されている。光導入部１０はＸ方向に長い角柱状であり、一端が導光体９に接続し、他端が発光素子３と接続している。光導入部１０は発光素子３と同じく２つ設置され、２つの発光素子３と導光体９との間に光導入部１０が配置されている。そして、光導入部１０は発光素子３と接合されている。尚、この接合では光導入部１０から発光素子３へ光が進行するように接合されている。
【００２７】
導光体９と光導入部１０とは一体成形されている。このため、光導入部１０から導光体９へ光が減衰せずに進行することができる。導光体９及び光導入部１０の材質は光透過性があり、剛性があれば良く特に限定されない。導光体９及び光導入部１０には各種の樹脂材料を用いることができる。本実施形態では、例えば、導光体９及び光導入部１０の材質にアクリル樹脂を用いている。
【００２８】
基板２には導光体９と対向する場所に開口部２ａが設置されている。従って、開口部２ａを通って光が進行することができる。
【００２９】
図２及び図３は導光体及び光導入部における光の進行を説明するための模式図である。図２はＹ方向から導光体９及び光導入部１０を見た図であり、図３はＺ方向から導光体９及び光導入部１０を見た図である。図２及び図３に示すように、基板２に設置された発光素子３から光１１が射出される。発光素子３は白色ＬＥＤ３ａ（Ｌｉｇｈｔ  Ｅｍｉｔｔｉｎｇ  Ｄｉｏｄｅ）、青色ＬＥＤ３ｂ、紫外ＬＥＤ３ｃにより構成されている。尚、ＬＥＤの構成はこの３種類の構成に限定されない。赤外光、赤色、白色、青色、紫外光等波長を選択して組み合わせることができる。ＬＥＤの構成は１つまたは２つのＬＥＤでも良く、４つ以上のＬＥＤでも良い。発光素子３から射出される光１１は自然光にちかいスペクトル分布になっている。
【００３０】
光導入部１０は発光素子３と対向する場所に、反射面１０ａを備えている。発光素子３はＺ方向に光１１を射出する。そして、反射面１０ａはＺ方向に対して４５度傾いた面になっている。反射面１０ａに到達した光１１は進行方向をＸ方向に変えて進行する。そして、光１１は光導入部１０を進行して導光体９に入力される。
【００３１】
このように、光源８の発光素子３は導光体９に光１１を入射する。導光体９の形状は回転体であり、回転体の回転軸９ａの軸方向に光源８が設置されている。光源８に設置された発光素子３は光１１を発光して光導入部１０に入射する。そして、光導入部１０は導光体９の接線方向９ｂに光を導入する。
【００３２】
光導入部１０は導光体９の接線方向９ｂに光を導入する。従って、光が導光体９を周回するように光導入部１０から導光体９へ光を入射できる。光源８は基板２を備え、基板２には発光素子３が設置されている。
【００３３】
導光体９は環状であることから、導光体９の形状は回転軸９ａを軸にして断面形状を回転した回転体である。発光素子３は光１１を発光して光導入部１０に入射する。その光源８は回転体の回転軸９ａの軸方向に設置されている。導光体９の回転軸９ａの軸方向において照明装置１の厚みは導光体９の厚み、発光素子３の厚み及び基板２の厚みを加算した厚みになっている。光導入部１０に反射面１０ａを設けずに、発光素子３がＸ方向に光１１を射出する構造にするとき、基板２に発光素子３を設置するためのコネクターが必要になる。このとき、コネクターには発光素子３を設置するための面積が必要になる。従って、コネクターはＺ方向の厚みが厚くなる。本実施形態では発光素子３が基板２に表面実装されているので、薄い光源８になっている。そして、薄い光源８を設置することにより、照明装置１を薄い装置にすることができる。
【００３４】
導光体９に導入された光１１は導光体９の表面にて反射して導光体９の内部を進行する。導光体９には−Ｚ方向側かつ外周側に光拡散部１２が設置されている。光拡散部１２に到達した光１１は乱反射する。乱反射した光１１の一部は導光体９の内部を進行する。乱反射した光１１の一部は導光体９の＋Ｚ方向側の回転軸９ａ上の照射点１３に向けて一部の光１１を射出する。このように、導光体９は光１１を射出する側の反対側に光１１を拡散させる光拡散部１２を有している。
【００３５】
図４は光拡散部で乱反射した光の進行を説明するための模式図である。図４に示すように、光拡散部１２で乱反射した光１１は導光体９を通過して照射点１３に向かって進行する。導光体９は光１１を射出する側が凸レンズになっている。従って、導光体９から指向性の高い光１１を射出することができる。また、導光体９は環状である為、導光体９から射出される光１１は環状に射出することができる。その結果、照明装置１は多方向から指向性の高い光を射出することができる。
【００３６】
図５は光拡散部の構造を示す要部模式拡大図である。図５に示すように、光拡散部１２は導光体９に設置された凹凸で構成されている。凹凸の表面の向きが多方向を向いているので、光１１が凹凸を照射するとき光１１は多方向に進行する。つまり、光１１の進行方向が拡散する。導光体９の材料は樹脂材料であることから、導光体９は金型を用いて形成することができる。このとき、金型の一部に凹凸をつけることにより、導光体９と光拡散部１２とを一緒に形成することができる。従って、生産性良く導光体９及び光拡散部１２を製造することができる。
【００３７】
上述したように、本実施形態によれば、以下の効果を有する。
（１）本実施形態によれば、照明装置１は光源８と導光体９とを備えている。光源８が導光体９に光を入射する。導光体９の内部に入射された光１１の一部は導光体９の表面で反射し、導光体９の内部を進行する。導光体９は環状なので、導光体９に入った光は導光体９の内部を周回して進行する。導光体９には光拡散部１２が設置されている。光拡散部１２に到達した光１１は拡散して一部の光１１は進行方向を変える。
【００３８】
進行方向が変わった光１１は導光体９を通過して射出される。導光体９は光を射出する側が凸レンズになっている。従って、導光体９から指向性の高い光を射出することができる。また、導光体９は環状である為、導光体９から射出される光１１は環状に射出することができる。その結果、照明装置１は多方向から指向性の高い光１１を射出することができる。
【００３９】
（２）本実施形態によれば、光源８と導光体９との間に光導入部１０が設置されている。そして、Ｚ方向側から見たとき光導入部１０は導光体９の接線方向９ｂに光を導入する。従って、光導入部１０は光が導光体９を周回するように光１１を入射できる。光源８は基板２を備え、基板２には発光素子３が設置されている。
【００４０】
導光体９は環状であり、導光体９の形状は回転軸９ａを軸にして断面形状を回転した回転体である。発光素子３は光１１を回転軸９ａの方向に発光して光導入部１０に入射する。その光源８は回転体の回転軸９ａの軸方向に設置されている。導光体９の回転軸９ａの軸方向において照明装置１の厚みは導光体９の厚み、発光素子３の厚み及び基板２の厚みを加算した厚みになっている。
【００４１】
発光素子３が導光体９の接線方向９ｂに光を射出する構造にするとき、基板２に発光素子３を設置するためのコネクターが必要になる。このとき、コネクターには発光素子３を設置するための面積が必要になる。従って、コネクターは回転軸９ａの軸方向の厚みが厚くなる。本実施形態では発光素子３が基板２に直接実装されているので、薄い光源８にすることができている。従って、照明装置１を薄い装置にすることができる。また、発光素子３が占める面積が大きくなっても光源８はＺ方向の厚みを薄くすることができる。
【００４２】
（３）本実施形態によれば、光拡散部１２は導光体９に設置された凹凸で構成されている。導光体９は金型を用いて形成することができる。このとき、金型の一部に凹凸をつけることにより、導光体９と光拡散部１２とを一緒に形成することができる。従って、生産性良く導光体９及び光拡散部１２を製造することができる。
【００４３】
（第２の実施形態）
次に、照明装置の一実施形態について図６及び図７を用いて説明する。図６は導光体の構造を示す模式側断面図である。図７は光拡散部で乱反射した光の進行を説明するための模式図である。本実施形態が第１の実施形態と異なるところは、導光体９の断面形状が異なる点にある。尚、第１の実施形態と同じ点については説明を省略する。
【００４４】
すなわち、本実施形態では、図６に示すように、照明装置１６は導光体１７を備えている。導光体１７の形状は環状の回転体であり、回転体の回転軸１７ａの軸方向に光源８が設置されている。光源８と導光体１７との間に光導入部１０が設置され、光源８が発した光１１を光導入部１０が導光体１７に導いている。導光体１７には光拡散部１２が設置され、光拡散部１２に到達した光１１は拡散する。拡散した光１１の一部は導光体１７から射出され照射点１３に向かって進行する。光拡散部１２の各場所から照射点１３に向かう方向を射出方向１８とする。光拡散部１２は円形なので、射出方向１８は円錐の側面に沿った方向となる。
【００４５】
図７に示すように、導光体１７の断面形状は光１１を射出する射出方向１８に沿って長い長円である。このとき、導光体の断面形状が円のときに比べて長円は光が通過する部分の曲率を小さくできる。従って、導光体１７の凸レンズを焦点距離が短いレンズにすることができる。その結果、光拡散部１２で乱反射した光１１を効率良く照射点１３に集光させることができる。
【００４６】
（第３の実施形態）
次に、照明装置の一実施形態について図８及び図９を用いて説明する。図８は導光体の構造を示す模式側断面図である。図９は光拡散部の構造を示す要部模式拡大図である。本実施形態が第１の実施形態と異なるところは、光拡散部１２が反射膜で形成されている点にある。尚、第１の実施形態と同じ点については説明を省略する。
【００４７】
すなわち、本実施形態では、図８に示すように、照明装置２１が備える光源８、導光体９、光導入部１０は第１の実施形態と同じである。そして、導光体９には光拡散部２２が設置されている。光拡散部２２の位置は第１の実施形態の光拡散部１２と同じ位置である。
【００４８】
図９に示すように、光拡散部２２は反射膜で構成されている。反射膜の材質には酸化チタン、二酸化チタン、ジルコニアホワイト、酸化亜鉛、酸化マグネシウム、硫酸バリウム、炭酸カルシウム、鉛白、硫化亜鉛と硫酸バリウムの混合物であるリトポン等を用いることができる。これらの材料を粉末にして溶剤に溶かす。そして、塗布し乾燥することで反射膜を設置できる。反射材料を塗布して形成した反射膜では反射分布を指向性が小さい分布にすることができる。
【００４９】
（第４の実施形態）
次に、照明装置の一実施形態について図１０及び図１１を用いて説明する。図１０は導光体の構造を示す模式側断面図である。図１１は光拡散部の構造を示す要部模式拡大図である。本実施形態が第１の実施形態と異なるところは、発光素子が紫外線を発光し、光拡散部が蛍光体で形成されている点にある。尚、第１の実施形態と同じ点については説明を省略する。
【００５０】
すなわち、本実施形態では、図１０に示すように、照明装置２３が備える光源２４は紫外線を発光する発光素子２５を備えている。発光素子２５は紫外線を発光するＬＥＤである。発光素子２５が射出する紫外線の波長は特に限定されないが、本実施形態では、例えば、３７５ｎｍである。導光体９、光導入部１０は第１の実施形態と同じである。そして、導光体９には光拡散部２６が設置されている。光拡散部２６の位置は第１の実施形態の光拡散部１２と同じ位置である。
【００５１】
図１１に示す光拡散部２６は複数種類の蛍光体で構成されている。蛍光体はスペクトル分布の異なる材質を混合して白色に近くなるように調整されている。例えば、蛍光体の材料は次の赤蛍光体、緑蛍光体、青蛍光体を調合して作ることができる。赤蛍光体は、Ｌａ2Ｏ2Ｓ：Ｅｕ，Ｓｍ（ＹＯＳ：Ｅｕ）。緑蛍光体は、３（Ｂａ，Ｍｇ，Ｅｕ，Ｍｎ）Ｏ・８Ａｌ2Ｏ3（ＢＡＭ：Ｅｕ，Ｍｎ）。青蛍光体は、（Ｓｒ，Ｃａ，Ｂａ，Ｅｕ）10（ＰＯ4）6・Ｃｌ2。これらの材料を粉末にして溶剤に溶かす。そして、塗布し乾燥することで光拡散部２６を設置する。このように、光源２４は紫外線を発光し、紫外線が照射される光拡散部２６は蛍光体である。光源２４は紫外線を発光する。光源２４の発光素子２５が紫外線を発光する。紫外線は蛍光体を照射して蛍光体は固有のスペクトル分布の光を射出する。蛍光体の種類を選択することにより射出する光１１のスペクトル分布を容易に設定することができる。
【００５２】
（第５の実施形態）
次に、照明装置の一実施形態について図１２を用いて説明する。図１２は導光体の構造を示す要部模式拡大図である。本実施形態が第１の実施形態と異なるところは、導光体９の断面形状が異なる点にある。尚、第１の実施形態と同じ点については説明を省略する。
【００５３】
すなわち、本実施形態では、図１２に示すように、照明装置２７が備える導光体２８は−Ｚ側の面が平面２８ａになっている。そして、導光体２８では外周側の面が円筒面２８ｂになっている。そして、射出方向１８側の面が凸状の曲面となっており、凸レンズとして機能する。このような断面形状にすることにより光拡散部１２にて乱反射した光１１を効率良く照射点１３に向かって進行させることができる。
【００５４】
導光体２８の平面２８ａの−Ｚ側に反射板２９を設置してもよい。さらに、導光体２８の円筒面２８ｂの外周側にも反射板２９を設置しても良い。導光体２８から射出される光１１のうち平面２８ａ及び円筒面２８ｂから射出される光１１を導光体２８に戻すことができる。そして、効率良く光１１を照射点１３に向けて射出することができる。
【００５５】
（第６の実施形態）
次に、照明装置の一実施形態について図１３及び図１４を用いて説明する。図１３及び図１４は照明装置の構造を示す模式平面図である。本実施形態が第１の実施形態と異なるところは、導光体９の平面形状が異なる点にある。尚、第１の実施形態と同じ点については説明を省略する。
【００５６】
すなわち、本実施形態では、図１３に示すように、照明装置３２は光源８、光導入部１０及び導光体３３を備えている。光源８と導光体３３との間に光導入部１０が設置され、光源８が発した光１１を光導入部１０が導光体３３に導いている。導光体３３は＋−Ｙ方向側と＋−Ｘ方向側とに直線部が設置されている。直線部が交差する場所は円環状になっている。このように、導光体３３はＺ側から見た形状が略四角形になっていてもよい。導光体３３は直線の部分と円弧の部分で組み合わされている。このときにも導光体３３の内部で光１１を進行させることができる。
【００５７】
図１４に示すように、照明装置３４は光源８、光導入部１０及び導光体３５を備えている。光源８と導光体３５との間に光導入部１０が設置され、光源８が発した光１１を光導入部１０が導光体３５に導いている。導光体３３は＋Ｙ方向且つ＋Ｘ方向側、と＋Ｙ方向且つ−Ｘ方向側、−Ｙ方向側とに直線部が設置されている。直線部が交差する場所は円環状になっている。このように、Ｚ側から見た形状が略三角形になっていてもよい。導光体３５は直線の部分と円弧の部分で組み合わされている。このときにも導光体３５の内部で光１１を進行させることができる。
【００５８】
（第７の実施形態）
次に、照明装置が設置された測定装置の一実施形態について図１５を用いて説明する。この測定装置は分光分析器ともいわれる。図１５は測定装置の構造を示す模式側面図である。尚、第１の実施形態と同じ点については説明を省略する。
【００５９】
すなわち、本実施形態では、図１５に示すように、測定装置３８は土台３９を備えている。土台３９上には門型の第１支持部４０が設置されている。尚、この門型は第１支持部４０をＹ方向からみた形状を示す。第１支持部４０は土台３９と所定の間隔をあけて配置された天板４０ａと天板４０ａを支える柱部４０ｂとを備えている。図中右側を＋Ｘ方向とし、図中上側を＋Ｚ方向とする。そして、Ｘ方向及びＺ方向と直交する方向をＹ方向とする。尚、第１の実施形態とはＸ方向、Ｙ方向及びＺ方向が異なっている。土台３９はＸ方向及びＹ方向に延びている。
【００６０】
第１支持部４０の＋Ｚ方向の中程には第２支持部４１が設置されている。第２支持部４１は中央に開口部４１ａが設置されている。第２支持部４１の−Ｚ方向側の面には照明装置４２が設置されている。照明装置４２には上記の照明装置１、照明装置１６、照明装置２１、照明装置２３、照明装置２７、照明装置３２、照明装置３４のいずれかが設置されている。
【００６１】
土台３９上には被測定物４３が設置されている。そして、照明装置４２は被測定物４３に向けて光１１を照射する。照明装置４２は上記に記載の照明装置１、照明装置１６、照明装置２１、照明装置２３、照明装置２７、照明装置３２、照明装置３４のいずれかであるので、照明装置４２は多方向から指向性の高い光を被測定物４３に射出することができる。
【００６２】
天板４０ａの−Ｚ方向側の面には受光装置４４が設置されている。受光装置４４は対物レンズ４５、波長可変光フィルター４６、フォトダイオード４７及び回路基板４８を備えている。対物レンズ４５は被測定物４３で反射した光１１を集光する。波長可変光フィルター４６は設定した波長の光１１を通過させるフィルターである。フォトダイオード４７は受光した光１１の強度を電圧信号に変換する。回路基板４８にはフォトダイオード４７を駆動する駆動回路が設置されている。そして、受光装置４４は被測定物４３で反射した光を受光する。
【００６３】
波長可変光フィルター４６の形態は特に限定されないが本実施形態では、例えば、ファブリ・ペローのエタロンが使用されている。波長可変光フィルター４６は２つの反射面を備え、反射面の間隔が静電力を応用したアクチュエーターにより調整可能になっている。このアクチュエーターを制御部４９が制御する。そして、波長可変光フィルター４６を透過する光１１の波長を制御部４９が制御する。
【００６４】
照明装置４２の発光素子３、波長可変光フィルター４６、回路基板４８は配線により制御部４９と電気的に接続されている。制御部４９は発光素子３または発光素子２５を駆動して光１１を射出させる。光１１は回転軸９ａに対して４５度傾いた方向から被測定物４３を照射する。回転軸９ａと受光装置４４の光軸４４ａとが同じ軸になるように、回転軸９ａ及び受光装置４４の光軸４４ａが構成されている。
【００６５】
被測定物４３を照射した光１１は被測定物４３で反射する。そして、反射した光１１の一部は対物レンズ４５に入射される。そして、対物レンズ４５は光１１をフォトダイオード４７に集光させる。対物レンズ４５を通過した光１１は波長可変光フィルター４６に入射される。波長可変光フィルター４６は所定の波長の光１１を限定して通過させる。そして、波長可変光フィルター４６を通過した光１１をフォトダイオード４７が受光する。フォトダイオード４７は受光した光１１の強度を電圧に変換する。回路基板４８は電圧をデジタルデータに変換して制御部４９に出力する。
【００６６】
制御部４９は波長可変光フィルター４６を通過する光１１の波長を切り替えて、フォトダイオード４７が受光する光１１の強度のデータを入力する。そして、制御部４９は波長可変光フィルター４６を通過する光１１の波長を順次切り替えることにより被測定物４３が反射する光１１のスペクトル分布を検出する。
【００６７】
このように、測定装置３８は照明装置４２及び受光装置４４を備えている。照明装置４２が被測定物４３に光１１を照射して受光装置４４が被測定物４３から反射した光１１を受光する。照明装置４２には上記の照明装置１、照明装置１６、照明装置２１、照明装置２３、照明装置２７、照明装置３２、照明装置３４のいずれかが用いられている。上記の照明装置１、照明装置１６、照明装置２１、照明装置２３、照明装置２７、照明装置３２、照明装置３４は多方向から指向性の高い光を射出することができる。従って、測定装置３８は、多方向から指向性の高い光を射出することができる照明装置４２を備えた装置とすることができる。
【００６８】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記第１の実施形態では、光導入部１０の−Ｚ方向側に光源８を設置した。光源８を光導入部１０のＸ方向側に設置しても良い。このとき、反射面１０ａを設置せずに光導入部１０の端面をＸ方向と直交する面にする。この形態にすることにより、光源８から効率良く光導入部１０に光１１を入射できる。
【００６９】
（変形例２）
前記第１の実施形態では、導光体９及び光導入部１０が露出していた。導光体９及び光導入部１０をケースで覆っても良い。外乱光が導光体９及び光導入部１０に入ることを抑制できる。
【００７０】
（変形例３）
前記第１の実施形態では、光導入部１０の形状が四角柱の形状になっていた。光導入部１０の形状は円柱、楕円柱でもよい。他にも断面形状が多角形の角柱でも良い。配置しやすい形状にしても良い。
【００７１】
（変形例４）
前記第７の実施形態では、測定装置としての分光分析器の例を示した。他にも、分光分析器を成分分析器に利用しても良い。この成分分析器は検出するスペクトル分布に対応する成分のデータベースを備えている。そして、検出するスペクトル分布から被測定物４３の成分を推定する。他にも、被測定物４３の色を測定する測色器に上記の照明装置１、照明装置１６、照明装置２１、照明装置２３、照明装置２７、照明装置３２、照明装置３４を利用しても良い。
【符号の説明】
【００７２】
１，１６，２１，２３，２７，３２，３４，４２…照明装置、２…基板、３，２５…発光素子、８，２４…光源、９…導光体、１０…光導入部、１２，２６…光拡散部、３８…測定装置、４４…受光装置。
【図１】
2019083098.tif 000003
【図２】
2019083098.tif 000004
【図３】
2019083098.tif 000005
【図４】
2019083098.tif 000006
【図５】
2019083098.tif 000007
【図６】
2019083098.tif 000008
【図７】
2019083098.tif 000009
【図８】
2019083098.tif 000010
【図９】
2019083098.tif 000011
【図１０】
2019083098.tif 000012
【図１１】
2019083098.tif 000013
【図１２】
2019083098.tif 000014
【図１３】
2019083098.tif 000015
【図１４】
2019083098.tif 000016
【図１５】
2019083098.tif 000017